(57)【要約】【課題】  マクロ機能使用時の使い勝手の向上を図る。【解決手段】  内部に撮像光学系１６が配置された筐体２と、該筐体に設けられると共に広角端状態と望遠端状態との間で移動操作されることによりズーム機能を実行するズームキー６ａとを設け、広角端状態と望遠端状態の少なくとも一方の状態においてズームキーが所定の状態に保持されたときにマクロ機能が実行されるようにした。【選択図】図３
2006270388.tif 000002
【特許請求の範囲】
【請求項１】
内部に撮像光学系が配置された筐体と、
該筐体に設けられると共に広角端状態と望遠端状態との間で移動操作されることによりズーム機能を実行するズームキーとを備え、
広角端状態と望遠端状態の少なくとも一方の状態においてズームキーが所定の状態に保持されたときにマクロ機能が実行されるようにした
ことを特徴とする撮像装置。
【請求項２】
筐体にロック手段を配置し、
広角端状態と望遠端状態の少なくとも一方の状態においてズームキーがロック手段によってロックされることにより上記所定の状態に保持されてマクロ機能が実行されるようにした
ことを特徴とする請求項１に記載の撮像装置。
【請求項３】
広角端状態と望遠端状態の少なくとも一方の状態に、通常位置とマクロ実行位置とを形成し、
ズームキーがマクロ実行位置に移動されることにより上記所定の状態に保持されてマクロ機能が実行されるようにした
ことを特徴とする請求項１に記載の撮像装置。
【請求項４】
ズームキーが移動操作される移動操作経路として、
所定の方向に延びる第１の直線操作経路と、
該第１の直線操作経路と異なる方向に延び一端が第１の直線操作経路の一端に連続した第２の直線操作経路とを設け、
第１の直線操作経路と第２の直線操作経路の連続した位置を上記通常位置とし、第２の直線操作経路の他端を上記マクロ実行位置とした
ことを特徴とする請求項３に記載の撮像装置。
【発明の詳細な説明】
【技術分野】
【０００１】
本発明は撮像装置についての技術分野に関する。詳しくは、ズームキーの状態によりマクロ機能が実行されるようにし、マクロ機能使用時の使い勝手の向上を図る技術分野に関する。
【背景技術】
【０００２】
筐体内に撮像光学系が配置され被写体を撮影するための撮像装置がある。
【０００３】
このような撮像装置としては、例えば、ビデオカメラ、スチルカメラ、携帯電話に組み込まれたもの等種々のタイプが存在するが、これらの撮像装置には、一般に、撮像光学系の焦点距離を連続的に変化させて被写体を撮影するズーム機能が搭載されている（例えば、特許文献１参照）。ズーム機能を実行することにより、広角端に近付ける程、被写体の全景を撮影することができ、望遠端に近付ける程、被写体をクローズアップすることができる。
【０００４】
また、撮像装置には被写体を通常より近距離から映し出して撮影するマクロ機能を実行させてマクロ撮影を行うことができるものがある。撮像装置の撮影モードをマクロモードに設定してマクロ機能を実行することにより、広角マクロ（ワイドマクロ）においては至近距離、例えば、数センチ程度の距離に位置する被写体を焦点ぼけすることなくクローズアップして撮影することができ、ズーム（テレマクロ）においては通常の望遠端（フォーカスの有効範囲は、例えば、８０センチ以上）では焦点が合致しない近距離、例えば、３０センチ乃至８０センチ程度の距離に位置する被写体を焦点ぼけすることなくクローズアップして撮影することができる。
【０００５】
特に、ズームにおいて撮影を行うことにより、被写体が離れた位置に存在するため撮像装置やユーザーの影が撮影画像に映り込まず画質の向上が図られる他、被写体深度が深いため背景がぼけて被写体を際立たせることができるという利点がある。
【０００６】
【特許文献１】特開２０００−６９３３０号公報
【発明の開示】
【発明が解決しようとする課題】
【０００７】
ところで、従来の撮像装置にあっては、マクロ機能を実行させるためのマクロモードの設定を、例えば、所定の釦を操作してメニュー画面からマクロモードの選択をすることにより行っていたり、マクロモードを設定するために設けられた専用の釦を操作することにより行っていた。
【０００８】
ところが、メニュー画面からマクロモードの選択を行ってマクロモードを設定する場合には、メニューの階層が深く、マクロ機能の実行に手間がかかったり、マクロ機能を実行するまでの時間が長いため即時にマクロ機能の実行を行うことができないと言う問題があった。特に、即時にマクロ機能を実行できないと、折角の撮影機会を逸してしまうという不都合がある。
【０００９】
また、専用の釦を用いてマクロモードの設定を行う場合には、専用の釦を配置するためのスペースが別に必要となって撮像装置の大型化を来たしたり、専用の釦を配置するために製造コストが高騰してしまうと言う問題を生じていた。
【００１０】
一方、別の従来の撮像装置にあっては、例えば、ズームを実行しようとしたときには、ズームキーが広角端から望遠端までの何れの位置に存在していた場合でも、自動的に望遠端が設定される仕様とされているものがある。
【００１１】
ところが、このような仕様とされている撮像装置の場合には、例えば、図８に示すように、ユーザーが広角端で被写体を画面ａに映し出している状態においてズームを実行しようとしたときに、ユーザーがズームで撮影しようとしている被写体ｂが画面ａの中央部に存在していないと、図９に示すように、望遠端が設定される過程において撮影しようとしている被写体ｂの全体又は一部が画面ａから外れてしまい、被写体ｂを見失ってしまうと言う不都合を生じることもある。
【００１２】
そこで、本発明は、上記した問題点を克服し、マクロ機能使用時の使い勝手の向上を図ることを課題とする。
【課題を解決するための手段】
【００１３】
本発明撮像装置は、上記した課題を解決するために、内部に撮像光学系が配置された筐体と、該筐体に設けられると共に広角端状態と望遠端状態との間で移動操作されることによりズーム機能を実行するズームキーとを設け、広角端状態と望遠端状態の少なくとも一方の状態においてズームキーが所定の状態に保持されたときにマクロ機能が実行されるようにしたものである。
【００１４】
従って、本発明撮像装置にあっては、ズームキーの状態に応じてマクロモードが設定される。
【発明の効果】
【００１５】
本発明撮像装置は、内部に撮像光学系が配置された筐体と、該筐体に設けられると共に広角端状態と望遠端状態との間で移動操作されることによりズーム機能を実行するズームキーとを備え、広角端状態と望遠端状態の少なくとも一方の状態においてズームキーが所定の状態に保持されたときにマクロ機能が実行されるようにしたことを特徴とする。
【００１６】
従って、所定の釦を操作してメニュー画面からマクロモードの選択をすることによりマクロ機能を実行する必要がなく、マクロ機能の実行が容易であると共に即時にマクロモードの実行を行うことができる。
【００１７】
請求項２に記載した発明にあっては、筐体にロック手段を配置し、広角端状態と望遠端状態の少なくとも一方の状態においてズームキーがロック手段によってロックされることにより上記所定の状態に保持されてマクロ機能が実行されるようにしたので、マクロ機能の実行を容易かつ確実に行うことができ、撮像装置の使い勝手の向上を図ることができる。
【００１８】
請求項３に記載した発明にあっては、広角端状態と望遠端状態の少なくとも一方の状態に、通常位置とマクロ実行位置とを形成し、ズームキーがマクロ実行位置に移動されることにより上記所定の状態に保持されてマクロ機能が実行されるようにしたので、マクロモードの設定及び解除を容易かつ確実に行うことができ、撮像装置の使い勝手の向上を図ることができる。
【００１９】
請求項４に記載した発明にあっては、ズームキーが移動操作される移動操作経路として、所定の方向に延びる第１の直線操作経路と、該第１の直線操作経路と異なる方向に延び一端が第１の直線操作経路の一端に連続した第２の直線操作経路とを設け、第１の直線操作経路と第２の直線操作経路の連続した位置を上記通常位置とし、第２の直線操作経路の他端を上記マクロ実行位置としたので、移動操作経路が簡単な構成でありズームキーの操作の簡便化を図ることができる。
【発明を実施するための最良の形態】
【００２０】
以下に、本発明撮像装置を実施するための最良の形態を添付図面に従って説明する。
【００２１】
以下に示した最良の形態は、本発明撮像装置をビデオカメラに適用したものである。尚、本発明は、ビデオカメラの他、スチルカメラ、携帯電話等の動画撮影又は静止画撮影の機能を有する各種の撮像装置に適用することができる。
【００２２】
先ず、撮像装置１の全体構成について説明する（図１参照）。
【００２３】
撮像装置は、筐体２内に各種のレンズを有する撮像光学系等の所要の各部が配置されて成り、本体部３と表示部４とを有し、該表示部４がヒンジ５を介して本体部３の一方の側面部に回動可能に支持されている。
【００２４】
本体部３にはその後端部にファインダー部３ａが設けられている。本体部３の一方の側面部には画面収納凹部３ｂが形成されている。本体部３には各種の操作部６、６、・・・が設けられ、該操作部６、６、・・・としてズームキー６ａや電源釦６ｂ等が設けられている。ズームキー６ａは広角端状態と望遠端状態との間で移動操作されることによりズーム機能を実行するキーであり、筐体２に形成された、例えば、溝状の移動操作経路７を移動される。
【００２５】
移動操作経路７は、図１に拡大して示すように、例えば、前後に延びる第１の直線操作経路８と左右に延びる第２の操作経路９とから成り、第１の直線操作経路８の後端部と第２の直線操作経路９の左端部とが連続されている。ズームキー６ａが第１の直線操作経路８の前端に位置された状態においては広角端状態とされて画角が最大となり、ズームキー６ａが第１の直線操作経路８の後端から第２の直線操作経路９までの間に位置された状態においては望遠端状態とされて画角が最小となる。
【００２６】
第１の直線操作経路８の前端は広角端位置１０とされ、第１の直線操作経路８と第２の直線操作経路９の連続した位置は望遠端位置における通常位置１１とされ、第２の直線操作経路９の右端がマクロ実行位置１２とされる。
【００２７】
筐体２の外面には、広角端位置１０、通常位置１１及びマクロ実行位置１２をそれぞれ示す表示２ａ、２ｂ、２ｃが形成され（図１参照）、該表示２ａ、２ｂ、２ｃは、例えば、シルク印刷等により形成されている。表示２ａ、２ｂ、２ｃの存在によりユーザーが現在のズームキー６ａの操作位置を容易に確認することができる。
【００２８】
表示部４の一方の面には液晶表示画面４ａが設けられている。液晶表示画面４ａは被写体を映し出す機能の他、タッチパネルとしての機能をも有し、液晶表示画面４ａに表示される操作画面（アイコン）をタッチ操作することにより所定の処理を実行することができる。
【００２９】
表示部４は、その閉塞状態において、本体部３の画面収納凹部３ｂに収納される。
【００３０】
次に、撮像装置１の回路構成等について説明する（図２参照）。
【００３１】
撮像装置１は、カメラブロック１３、信号処理ブロック１４及び制御ブロック１５を備えている。
【００３２】
カメラブロック１３は、ズームレンズやフォーカシングレンズ等の各種のレンズを有する撮像光学系１６と該撮像光学系１６によって取り込まれた画像情報を電気信号に変換するＣＣＤ（Charge Coupled Device）等の撮像素子１７を備えている。
【００３３】
尚、撮像素子１７はＣＣＤに限られることはなく、撮像素子１７として、例えば、ＣＭＯＳ(Complementary Metal-Oxide Semiconductor)等の他の素子を使用することもできる。
【００３４】
信号処理ブロック１４にはカメラ信号処理回路１８が設けられている。カメラ信号処理回路１８は、撮像素子１７から入力した電気信号に変換された画像データーに対して、ＡＦ（Auto Focus）、ＡＥ（Auto Exposure）、ＡＷＢ（Auto White Balance）等の信号処理を行う。ＡＦ、ＡＥ、ＡＷＢ等の信号処理が行われた画像データーは、所定の方式でデーター圧縮され、制御ブロック１５を介して記録媒体１００に出力され、該記録媒体１００にファイルとして記録される。
【００３５】
記録媒体１００は撮像装置１に対して着脱可能とされ、記録媒体１００としては、例えば、半導体メモリーを用いた所謂メモリーカード、記録可能なＤＶＤ（Digital Versatile Disk）や記録可能なＣＤ（Compact Disc）等のディスク状記録媒体等の種々のものが用いられる。
【００３６】
制御ブロック１５は、ＣＰＵ（Central Processing Unit）を含むマイクロプロセッサー１９、記録回路２０、オンスクリーンディスプレイ回路２１、重畳回路２２及び電源回路２３を有している。
【００３７】
マイクロプロセッサー１９は撮像装置１の全体を制御する機能を有し、撮像光学系１６、カメラ信号処理回路１８、記録回路２０、オンスクリーンディスプレイ回路２１及び電源回路２３等に指令信号を送出し、これらの各部を動作させる。
【００３８】
記録回路２０はマイクロプロセッサー１８からの指令信号に基づいて、カメラ信号処理回路１８によって信号処理された画像データーを記録媒体１００に対して記録する処理を行う。
【００３９】
オンスクリーンディスプレイ回路２１は、タッチパネルとしても機能する表示部４の液晶表示画面４ａ上に操作画面等を表示させるための処理を行う。
【００４０】
重畳回路２２はカメラ信号処理回路１８から出力された画像信号とオンスクリーンディスプレイ回路２１から出力された画面信号とを合成し、表示部４に出力する機能を有する。
【００４１】
電源回路２３はバッテリー２４及び商用電源と接続され、バッテリー２４及び商用電源から取得した電力をマイクロプロセッサー１９に供給する回路である。また、電源回路２３は撮像装置１に設けられる他の回路、例えば、液晶表示画面４ａを駆動する画面駆動回路や撮像素子１７を駆動する素子駆動回路等に対してもマイクロプロセッサー１９から出力される電源コントロール信号に基づいて電力を供給する。
【００４２】
タッチパネルとしても機能する液晶表示画面４ａに対して操作が行われたときやズームキー６ａ等の操作部６、６、・・・に対して操作が行われたときには、当該操作に応じた操作信号がマイクロプロセッサー１９に送出され、該マイクロプロセッサー１９は入力した操作信号に基づいて撮像光学系１６、カメラ信号処理回路１８、記録回路２０、オンスクリーンディスプレイ回路２１及び電源回路２３等の各部に指令信号を送出する。
【００４３】
一方、記録媒体１００に記録された画像データーは、ユーザーによって行われた操作部６、６、・・・に対する操作に応じた操作信号に基いて生成されたマイクロプロセッサー１９からの指令信号に応じて記録媒体１００から読み出され、カメラ信号処理回路１８に送出される。
【００４４】
カメラ信号処理回路１８は、記録媒体１００から読み出されて入力された圧縮されている画像データーについて、データー圧縮の解凍処理（伸張処理）を行い、解凍後の画像データーを重畳回路２２に送出する。重畳回路２２は、この画像データーに基づいた画像信号を表示画面４ａに送出し、該表示画面４ａに画像信号に基づいた画像が表示される。
【００４５】
以上のように構成された撮像装置１において、電源釦６ｂが操作されて電源が投入され、ズームキー６ａが移動操作されるとズーム機能が実行される。
【００４６】
ズームキー６ａが移動操作され通常位置１１側から広角端位置１０まで移動されると、画角が広がり被写体の全景がファインダー部３ａ及び液晶表示画面４ａに映し出される。逆に、ズームキー６ａが移動操作され広角端位置１０側から通常位置１１まで移動されると、画角が狭まり被写体がクローズアップされてファインダー部３ａ及び液晶表示画面４ａに映し出される。
【００４７】
また、ズームキー６ａが移動操作され通常位置１１からマクロ実行位置１２まで移動されて保持されると、ズーム機能が実行され、通常位置１１では焦点が合致しない近距離に位置する被写体が焦点ぼけすることなくクローズアップして映し出される。
【００４８】
以下に、ズームキー６ａが操作されるときの処理の流れを、図３に示すフローチャート図を参照して説明する。
【００４９】
（Ｓ１）処理が開始されると、ズームキー６ａの操作が行われたことを検出し（Ｓ２）に移行する。この操作の検出は、例えば、マイクロプロセッサー１９にズームキー６ａに対する操作に応じた操作信号が入力されることにより行われる。また、ズームキー６ａの操作位置及び操作方向の検出もマイクロプロセッサー１９によって行われる。
【００５０】
（Ｓ２）ズームキー６ａが望遠端状態における通常位置１１からマクロ実行位置１２までの間に存在するかどうかが検出される。ズームキー６ａが通常位置１１からマクロ実行位置１２までの間に存在しないことが検出されると（Ｓ３）に移行し、ズームキー６ａが通常位置１１からマクロ実行位置１２までの間に存在することが検出されると（Ｓ４）に移行する。
【００５１】
（Ｓ３）ズームキー６ａが移動操作経路７の第１の直線操作経路８に存在すると判別され、マクロ機能が実行されない状態でズーム機能が実行される。ズーム機能が実行されると処理が終了する。
【００５２】
（Ｓ４）ズームキー６ａが移動操作経路７の第２の直線操作経路９に存在すると判別され、ズームキー６ａが第２の直線操作経路９において保持状態にあるかどうかが検出される。尚、この保持状態とは、例えば、ユーザが操作しなければズームキー６ａを第１の直線操作経路８に移動できない状態、一定の時間（例えば、数秒間）ズームキー６ａが通常位置１１よりもマクロ実行位置１２側に位置された状態、望遠端状態において一定時間（例えば、数秒間）焦点ぼけ（デフォーカス状態）が生じた状態等を言う。ズームキー６ａが第２の直線操作経路９において保持状態にないことが検出されると（Ｓ３）に移行し、ズームキー６ａが第２の直線操作経路９において保持状態にあることが検出されると（Ｓ５）に移行する。マクロモード実行時には、フォーカスの有効範囲が、例えば、「８０センチ以上」から「３０センチ乃至８０センチ」に変更される。
【００５３】
（Ｓ５）マクロモードが設定され、望遠端におけるマクロ機能、即ち、テレマクロ機能が実行される。テレマクロ機能が実行されると（Ｓ６）に移行する。
【００５４】
（Ｓ６）液晶表示画面４ａにマクロモード設定状態を示すアイコンが表示される。アイコンが表示されると処理が終了する。
【００５５】
以上に記載した通り、撮像装置１にあっては、望遠端状態においてズームキー６ａが所定の状態に保持されたときにマクロ機能が実行されるため、所定の釦を操作してメニュー画面からマクロモードの選択をすることによりマクロ機能を実行する必要がなく、マクロ機能の実行が容易であると共に即時にマクロモードの実行を行うことができる。
【００５６】
また、マクロモードを設定するための専用の釦を設ける必要がないため、製造コストの削減及び省スペース化による撮像装置の小型化を図ることができる。
【００５７】
さらに、望遠端状態における通常位置１１からマクロ実行位置１２へ向けてズームキー６ａを移動操作することによりマクロ機能が実行されるため、マクロ機能の実行時に、例えば、広角端位置１０側にズームキー６ａが位置されている状態において自動的に望遠端が設定されるようなことがなく、ユーザーがズームで撮影しようとしている被写体を視認している状態でユーザーの意志によってズームキー６ａを操作することによりマクロモードが設定され、ユーザーが被写体を見失ってしまうと言う不都合の発生を防止することができる。
【００５８】
さらにまた、望遠端状態に通常位置１１とマクロ実行位置１２とを形成し、ズームキー６ａがマクロ実行位置１２に移動されたときにマクロ機能が実行されるようにしたので、マクロモードの設定及び解除を容易かつ確実に行うことができ、撮像装置１の使い勝手の向上を図ることができる。
【００５９】
加えて、ズームキー６ａの移動操作経路７を第１の直線操作経路８と該第１の直線操作経路８に対して異なる方向に延びる第２の直線操作経路９によって構成しているため、移動操作経路７が簡単な構成でありズームキー６ａの操作の簡便化を図ることができる。
【００６０】
次に、ズームキー及び該ズームキーに関する機構の変形例について説明する（図４乃至図７参照）。
【００６１】
第１の変形例に係るズームキー６ｃは、筐体２にスライド自在に支持されている（図４及び図５参照）。ズームキー６ｃにはスライド方向に突出された係合突部２５が設けられ、該係合突部２５の先端部に係止爪２５ａが設けられている。
【００６２】
筐体２にはロック機構２６が配置され、該ロック機構２６は筐体２に回動自在に支持されたロック手段２７と付勢バネ２８とを有している。ロック手段２７の一端部には係止用爪部２７ａが設けられ、ロック手段２７は一部が筐体２に形成された配置用空間２ｄに配置され、係止用爪部２７ａを含む他の部分が配置用空間２ｄからズームキー６ｃ側へ突出されている。ロック手段２７は筐体２に回動自在に支持されている。
【００６３】
配置用空間２ｄ内には付勢バネ２８が配置され、該付勢バネ２８によって、ロック手段２７の係止用爪部２７ａがズームキー６ｃに設けられた係合突部２５の係止爪２５ａに係止される方向（図５に示すＡ１方向）へ付勢されている。
【００６４】
筐体２には解除用操作部２９が移動自在に支持され、該解除用操作部２９の一端部がロック手段２７の他端部に回動可能に連結されている。
【００６５】
ズームキー６ｃの位置としては、例えば、前端に広角端位置３０が設定され、後端寄りの位置に望遠端状態における通常位置３１が設定され、後端にマクロ実行位置３２が設定されている。
【００６６】
ズームキー６ｃがマクロ実行位置３２に移動されると、ロック手段２７の係止用爪部２７ａが係合突部２５の係止爪２５ａと係止されてズームキー６ｃがロック手段２７によってロックされる（図５参照）。ズームキー６ｃがロック手段２７によってロックされると、テレマクロ機能が実行される。
【００６７】
従って、ズームキー６ｃにあっては、ロック手段２７によってロックされた状態に保持されたときにテレマクロ機能が実行される。
【００６８】
ズームキー６ｃのロック手段２７によるロックの解除は、解除用操作部２９を図５に示すＢ方向へ押圧操作し、ロック手段２７を図５に示すＡ２方向へ回動させて係止用爪部２７ａと係止爪２５ａの係止状態を解除することにより行うことができる。
【００６９】
第２の変形例に係るズームキー６ｄは、筐体２にスライド自在に支持されている（図６及び図７参照）。ズームキー６ｄにはスライド方向に突出された突部３３が設けられ、該突部３３にはロック用穴３３ａが形成されている。
【００７０】
筐体２にはロック機構３４が配置され、該ロック機構３４は筐体２に移動自在に支持されたロック手段３５を有している。
【００７１】
ズームキー６ｄの位置としては、例えば、前端に広角端位置３６が設定され、後端寄りの位置に望遠端状態における通常位置３７が設定され、後端にマクロ実行位置３８が設定されている。
【００７２】
ズームキー６ｄがマクロ実行位置３８に移動されると、ズームキー６ｄの突部３３が筐体２に形成された挿入用凹部２ｅに挿入される。このときロック手段３５が押圧操作されると、該ロック手段３５の一部が突部３３に形成されたロック用穴３３ａに挿入されてズームキー６ｄがロック手段３５によってロックされる（図７参照）。ズームキー６ｄがロック手段３５によってロックされると、テレマクロ機能が実行される。
【００７３】
従って、ズームキー６ｄにあっては、ロック手段３５によってロックされた状態に保持されたときにテレマクロ機能が実行される。
【００７４】
ズームキー６ｄのロック手段３５によるロックの解除は、ロック手段３５をロックする方向と逆方向へ移動させロック手段３５を突部３３に形成されたロック用穴３３ａから引き出すことにより行うことができる。
【００７５】
上記した第１の変形例に係るズームキー６ｃ及び第２の変形例に係るズームキー６ｄにあっては、ロック手段２７、３５にロックされることによりマクロ機能が実行されるため、マクロ機能の実行を容易かつ確実に行うことができ、撮像装置１の使い勝手の向上を図ることができる。
【００７６】
また、ロック手段２７、３５によるズームキー６ｃ、６ｄのロックを解除することによりマクロモードの設定が解除されるため、マクロモードの設定を誤って解除してしまうという不具合の発生を防止することができる。
【００７７】
尚、上記には、実行されるマクロ機能として、望遠端におけるテレマクロ機能について説明したが、実行されるマクロ機能はテレマクロ機能である場合に限られることはなく、テレマクロ機能に代えて広角端におけるワイドマクロ機能が実行されるようにしてもよく、また、テレマクロ機能とワイドマクロ機能の双方の機能が実行されるようにしてもよい。
【００７８】
また、ズームキー６ａ、６ｃ、６ｄに対する配置位置は任意であり、撮影時にユーザーが操作し易い位置に設ければよい。
【００７９】
上記に示した上下左右の方向は説明の便宜上のものであり、本発明の適用においては、これらの方向に限定されることはない。
【００８０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８１】
【図１】図２乃至図７と共に本発明の最良の形態を示すものであり、本図は、撮像装置の全体構成を示す概略斜視図である。
【図２】撮像装置の回路構成等を示すブロック図である。
【図３】ズームキーが操作されるときの処理の流れを示すフローチャート図である。
【図４】図５と共に第１の変形例に係るズームキー及び該ズームキーに関する機構を示すものであり、本図は、ズームキーが移動されている状態を一部を断面にして示す拡大側面図である。
【図５】ズームキーがロックされた状態を一部を断面にして示す拡大側面図である。
【図６】図７と共に第２の変形例に係るズームキー及び該ズームキーに関する機構を示すものであり、本図は、ズームキーが移動されている状態を一部を断面にして示す拡大側面図である。
【図７】ズームキーがロックされた状態を一部を断面にして示す拡大側面図である。
【図８】図９と共に従来の問題点を説明するためのものであり、本図は、広角端において、画面に被写体が映し出された状態を示す図である。
【図９】望遠端において、画面に被写体が映し出された状態を示す図である。
【符号の説明】
【００８２】
１…撮像装置、２…筐体、６ａ…ズームキー、７…移動操作経路、８…第１の直線操作経路、９…第２の直線操作経路、１１…通常位置、１２…マクロ実行位置、１６…撮像光学系、６ｃ…ズームキー、２７…ロック手段、３１…通常位置、３２…マクロ実行位置、６ｄ…ズームキー、３５…ロック手段、３７…通常位置、３８…マクロ実行位置
【図１】
2006270388.tif 000003
【図２】
2006270388.tif 000004
【図３】
2006270388.tif 000005
【図４】
2006270388.tif 000006
【図５】
2006270388.tif 000007
【図６】
2006270388.tif 000008
【図７】
2006270388.tif 000009
【図８】
2006270388.tif 000010
【図９】
2006270388.tif 000011